(57)【要約】長手軸（Ｌ）に互いに平行に伸びる少なくとも２つの細長片（２，３）、及び前記細長片（２，３）の間に配置され、前記細長片（２，３）と連続する一列のウェブ（１４）を含み、前記ウェブ（１４）は、第１のねじれ部（４）を介して前記細長片（２，３）の一方に弾性的に繋げられ、第２のねじれ部（５）によって前記細長片（２，３）の他方に弾性的に繋げられ、変形状態において、第１の接触部（６）が前記細長片の上方に伸び、かつ、第２の接触部（７）が前記細長片（２，３）の下方に伸びるように前記細長片（２，３）に対して傾斜し、前記ウェブ（１４）は、それぞれ、前方ウェブ端（８）と後方ウェブ端（９）を有し、前記前方ウェブ端（８）は突出部（１０）を有し、前記後方ウェブ端（９）はくぼみ（１１）を有し、前記くぼみ（１１）は隣接するウェブ端の前記突出部（１０）に適合し、又は相補的であり、前記突出部（１０）は、前記第１の接触部（６）を与え、前記ウェブ（１４）は、前記くぼみ（１１）側に、前記第２の接触部（７）を与える２つの後方ウェブ部分（１３）を有する接触要素（１）。さらに、前記前方ウェブ端（８）と前記後方ウェブ端（９）は、前記第１のねじれ部（４）から前記第２のねじれ部（５）まで伸び、隣接する２つのウェブ（１４）の前記前方ウェブ端（８）と前記後方ウェブ端（９）は、未変形状態において、その全長にわたって互いに接触し、特に、少なくともほとんど接触する。【選択図】図１ａ
2016512918.tif 000002
【特許請求の範囲】
【請求項１】
２つの導電体又は接触部品の間に電気的接触を構築するための接触要素（１）であって、
長手軸（Ｌ）の方向に互いに平行に伸びる少なくとも２つの細長片（２，３）、及び
前記細長片（２，３）の間に配置され、前記細長片（２，３）と連続する一列のウェブ（１４）を含み、
前記ウェブ（１４）は、第１のねじれ部（４）を介して前記細長片（２，３）の一方に弾性的に繋げられ、第２のねじれ部（５）によって前記細長片（２，３）の他方に弾性的に繋げられ、変形状態において、第１の接触部（６）が前記細長片（２，３）の上方に伸び、かつ、第２の接触部７が前記細長片（２，３）の下方に伸びるように前記細長片（２，３）に対して傾斜し、
前記ウェブ（１４）は、それぞれ、前方ウェブ端（８）と後方ウェブ端（９）を有し、前記前方ウェブ端（８）は突出部（１０）を有し、前記後方ウェブ端（９）はくぼみ（１１）を有し、前記くぼみ（１１）は隣接するウェブ端の前記突出部（１０）に適合し、又は相補的であり、
前記突出部（１０）は、前記第１の接触部（６）を与え、
前記ウェブ（１４）は、前記くぼみ（１１）側に、前記第２の接触部（７）を与える２つの後方ウェブ部分（１３）を有し、
前記前方ウェブ端（８）と前記後方ウェブ端（９）は、前記第１のねじれ部（４）から前記第２のねじれ部（５）まで伸び、隣接する２つのウェブ（１４）の前記前方ウェブ端（８）と前記後方ウェブ端（９）は、未変形状態において、その全長にわたって互いに接触し、特に、少なくともほとんど接触することを特徴とする接触要素（１）。
【請求項２】
前記前方ウェブ端（８）と前記後方ウェブ端（９）が互いに平行に、及び／又は互いに相補的に伸びることを特徴とする請求項１に記載の接触要素（１）。
【請求項３】
前記前方ウェブ端（８）と前記後方ウェブ端（９）が同一の進路を有し、長手軸（Ｌ）方向に見た前記前方ウェブ端（８）と前記後方ウェブ端（９）の間の距離（Ｄ）が、前記第１のねじれ部（４）から前記第２のねじれ部（５）までのウェブ幅の全体にわたって一定であることを特徴とする請求項１又は２に記載の接触要素（１）。
【請求項４】
前記ねじれ部（４，５）が、互いに一定の距離で連続して配置される開口（１５）によって設けられ、前記ねじれ部（４，５）が、長手軸に互いに直接連続する２つの隣り合う開口（１５）の間の領域に形成され、長手軸（Ｌ）に対して直角に伸びる横方向（Ｑ）において、前記ねじれ部（４，５）が、前記方向（Ｑ）における前記開口（１５）の最大幅にわたって伸びることを特徴とする請求項１〜３のいずれかに記載の接触要素（１）。
【請求項５】
前記前方ウェブ端（８）が、前記突出部（１０）から前記突出部（１０）の両側の後方に伸び、部分的に長手軸に対してほぼ直角に伸びる前側部分（１２）を形成し、
前記後方ウェブ端（９）が、前記くぼみ（１１）から前記くぼみ（１１）の両側の後方に伸び、部分的に長手軸（Ｌ）に対してほぼ直角に伸びる後側部分（２８）を形成することを特徴とする請求項１〜４のいずれかに記載の接触要素（１）。
【請求項６】
前記前方ウェブ端（８）が、前記突出部（１０）から曲線状結合部分（１６）を介して前記前側部分（１２）に移行し、前記後方ウェブ端（９）が、前記くぼみ（１１）から曲線状結合部分（１７）を介して前記後側部分（２８）に移行することを特徴とする請求項１〜５のいずれかに記載の接触要素（１）。
【請求項７】
互いに接触する２つの隣接するウェブ（１４）の前記ウェブ端（８、９）が、一方の細長片（２）の領域と他方の細長片（３）の領域において、一緒になって同一の開口（１５）内に至り、及び／又は
隣接するウェブ（１４）の前側部分（１２）と後側部分（２８）が、一緒になって共通の開口（１５）内に至り、前記ウェブ部分（１２，２８）は、合流（１８）の領域において、好ましくは細長片（２，３）に対して直角に伸びることを特徴とする請求項４〜６のいずれかに記載の接触要素（１）。
【請求項８】
前記開口（１５）が、前方部分（１８）と後方部分（１９）を有し、前記前方部分（１８）と前記後方部分（１９）が、好ましくは前記細長片（２，３）に対して直角に伸び、前記前方部分（１８）と前記後方部分（１９）が、好ましくは細長片（２、３）に平行に伸びる２つの側部分（２０，２１）を介して結合し、部分（１８，１９，２０，２１）の間にあって開口（１５）を区切る移行領域（２２）が、好ましくは曲線状の部分（２２）によって形成されることを特徴とする請求項４〜７のいずれかに記載の接触要素（１）。
【請求項９】
前記前方ウェブ端（８）と前記後方ウェブ端（９）、又は前記ウェブ端（８，９）の側部分（１２，２８）が、それぞれ、前記開口（１５）の側部分（２０）の領域において開口（１５）内に至り、好ましくは前記曲線状部分（２２）の領域では開口（１５）内に至らないことを特徴とする請求項８に記載の接触要素（１）。
【請求項１０】
前記細長片（２、３）に沿って互いに直接続くウェブ（１４）が、材料を除去せずに形成された切れ目によって、前記ウェブ端（８，９）の領域で互いに分離され、かつ、未変形状態において互いに接触し、少なくともほとんど接触していることを特徴とする請求項１〜９のいずれかに記載の接触要素（１）。
【請求項１１】
前記突出部（１０）が、前記細長片（２，３）間の中央に位置する頂点（２３）を有し、ねじれ線（２４）が、ねじれ部（４，５）の中央を通り、長手軸（Ｌ）に直角に伸び、
長手軸（Ｌ）方向における頂点（２３）とねじれ線（２４）の間の距離（Ａ１）が、長手軸（Ｌ）方向におけるねじれ線（２４）と後方ウェブ部分（１３）の領域の後方ウェブ端（９）との間の距離（Ａ２）とほぼ同一であるか、又は
長手軸（Ｌ）方向における頂点（２３）とねじれ線（２４）の間の距離（Ａ１）が、長手軸（Ｌ）方向におけるねじれ線（２４）と後方ウェブ部分（１３）の領域の後方ウェブ端（９）との間の距離（Ａ２）よりも、１．０から１．３、特に１．１５から１．２５の範囲の倍数で大きい、又は小さいことを特徴とする請求項１〜１０のいずれかに記載の接触要素（１）。
【請求項１２】
前記ねじれ部（４，５）が、製造中のねじれによって変形し、２つの前記ねじれ部（４，５）の間の前記ウェブ（１４）が、前記突出部（１０）と前記くぼみ（１１）の両側に伸びる前記ウェブ部分（１３）以外、ほぼ均一な平面であり、前記平面が、前記細長片（２，３）に対して角度が付けられていることを特徴とする請求項１〜１１のいずれかに記載の接触要素（１）。
【請求項１３】
前記突出部（１０）及び／又は前記ウェブ部分（１３）が、前記平面に対して屈曲により曲がっていることを特徴とする請求項１２に記載の接触要素（１）。
【請求項１４】
前記細長片（２，３）に、長手軸（Ｌ）方向に伸びる強化波形（２７）が設けられ、
前記強化波形（２７）が、好ましくはＵ字形断面、及び／又は好ましくは長方形断面、及び／又は好ましくは曲線状断面を有することを特徴とする請求項１〜１３のいずれかに記載の接触要素（１）。
【請求項１５】
前記細長片（２，３）の表面に対して垂直の方向における前記強化波形（２７）の高さが、前記ウェブ（１４）の最大のたわみに対応する方向におけるウェブ（１４）の大きさより小さいことを特徴とする請求項１４に記載の接触要素（１）。
【請求項１６】
前記接触要素が、ベリリウムを含まない合金、特にベリリウムを含まない銅合金からなることを特徴とする請求項１〜１５のいずれかに記載の接触要素（１）。
【請求項１７】
第１の接触部（２５）、及び前記第１の接触部に電気的に接続される第２の接触部を有する接触配置であって、前記接触部の１つ（２５）が、前記接触部の表面から内部に伸び、請求項１〜１６のいずれかに記載の接触要素（１）を収納するための凹部（２６）を有し、前記凹部（２６）は、好ましくは長方形断面を有する接触配置。
【請求項１８】
前記第１の接触部がソケット（３２）の形状を有し、前記第２の接触部が前記ソケット（３２）に適合するプラグ（３４）の形状を有し、これによりプラグとソケットの接続が提供され、前記凹部（２６）がソケット（３２）又はプラグ（３４）に位置することを特徴とする請求項１７に記載の接触配置。
【請求項１９】
前記接触要素（１）が、ねじ、鋲又は固定クリップ等の固定部材（３０）を介して前記凹部内に固定されることを特徴とする請求項１７又は１８に記載の接触配置。
【発明の詳細な説明】
【技術分野】
【０００１】
本発明は、請求項１のプリアンブルによる、２つの導電体要素又は接触部品の間の電気的接触を構築するための接触要素に関する。
【背景技術】
【０００２】
一般的な接触要素は特許文献１において公知である。特許文献１による接触要素は、弾性ウェブによって互いに繋げられる２つの細長片を有する。ウェブは細長片に対して旋回することができ、ウェブと細長片の間の接続点においてねじれ力が働く。
【０００３】
特許文献１は一連の不都合を有する。ウェブの形状に起因して、接続点の領域における変形量が比較的大きく、その結果、接続点の領域における高い応力となる。それ故、高強度銅合金、特に高強度のベリリウム含有銅合金の使用が必要となる。この種の合金は非常に高価であり、また、ベリリウムは遊離したときに健康に害を及ぼす場合がある。
【先行技術文献】
【特許文献】
【０００４】
【特許文献１】欧州特許出願公開第０５２０９５０号明細書
【発明の概要】
【発明が解決しようとする課題】
【０００５】
この従来技術から進展し、本発明の目的は、従来技術の不都合を解消する接触薄板又は接触要素を特定することである。特に、接触操作の数を増やすために、接触要素はより強固であるべきである。
【課題を解決するための手段】
【０００６】
上記の目的は、請求項１の発明により達成される。請求項１による接触要素は、２つの導電体又は接触部品の間の電気的接触を構築するために用いられる。導電体又は接触部品は、それぞれ、多様に形成されていてもよく、例えば、プラグとソケット接続の形状、又は平面の導電体又は接触部品の２つの表面接触間の接続の形状であってもよい。請求項１による接触要素は、長手軸の方向に沿って又はこれに平行に、互いに平行に伸びる少なくとも２つの細長片、及び細長片の間に配置され、細長片と連続する一列のウェブを含む。ウェブは、第１のねじれ部を介して細長片の一方に弾性的に繋げられ、第２のねじれ部によって細長片の他方に弾性的に繋げられる。さらに、ウェブは、変形状態において、第１の接触部が細長片の上方に伸び、第２の接触部が細長片の下方に伸びるように細長片に対して傾斜し、又は角度が付けられる。接触部はウェブにより提供される。ウェブは、それぞれ、前方ウェブ端と後方ウェブ端を有し、前方ウェブ端は突出部を有し、後方ウェブ端はくぼみを有し、くぼみは隣接するウェブ端の突出部に適合し、又は相補的である。突出部は前記第１の接触部を与える。さらに、ウェブは、くぼみ側に、第２の接触部を与える２つの後方ウェブ部分を有する。これら接触部を介して、ウェブと導電体又は接触部品の間に電気的接触が形成される。前方ウェブ端と後方ウェブ端は、第１のねじれ部から第２のねじれ部まで伸びる。さらに、隣接する２つのウェブの前方ウェブ端と後方ウェブ端は、未変形状態において、互いにその全長にわたって接触し、特に少なくともほとんど接触している。前方ウェブ端と後方ウェブ端は、特に好ましくは、互いに直接接している。
【０００７】
上記ウェブ端の設計は、この種の接触要素が効率的に製造することができ、最大限に利用できる点において有利である。特に、穴あけの廃棄物を減らせる。
【０００８】
また、長手方向において見た場合、最大限のウェブの長さがもたらされる。長手軸方向において見た場合、ウェブそのものが、第１の接触部から第２の接触部まで伸ばされている。従って、従来の接触要素に比べて、電気的接触を提供する際に、角度のきつい動作が低減でき、ねじれ部が機械的応力から解放される利点がある。これにより、例えば、耐用年数を長くすることができる。また、ねじれ部における一定の応力により、より大きな接触路が得られる。後者は耐用年数を直接向上しないが、接触要素を広範囲の接触構造において使用できるという基本的な利点を有しており、多用途性を向上する。
【０００９】
変形状態において、ウェブは細長片に対して旋回することができ、ねじれ部分において回転が作用する。ねじれ部分は弾性的であり、これにより接触状態においてウェブがばね効果によって接触部品に対して常に押さえつけられ、これにより確実な電気的接触が提供される。
【００１０】
前方ウェブ端と後方ウェブ端は、好ましくは互いに平行に、及び／又は互いに相補的に、又は互いに適合するように伸びる。特に、前方ウェブ端と後方ウェブ端は、互いに同一の進路を有し、長手軸の方向に見た前方ウェブ端と後方ウェブ端の間の距離は、それぞれ、第１のねじれ部から第２のねじれ部までのウェブ幅全体にわたって一定である。
【００１１】
ねじれ部は、好ましくは、互いに一定の距離で連続して配置される開口によって設けられ、ねじれ部は、長手軸に互いに直接連続する２つの隣り合う開口の間の領域において形成される。長手軸において見た場合、ねじれ部は２つの開口によって区切られ、境界が定められる。長手軸に対して直角に伸びる横方向において、ねじれ部は同方向における開口の延長によって実質的に区切られる。従って、ねじれ部は、横方向において開口とほぼ同一の長さを有する。ここで、ウェブの領域において、開口は唯一の切り抜かれた領域である。これにより、穴あけの廃棄物を最小限にすることができる。
【００１２】
前方ウェブ端は、好ましくは、突出部から突出部の両側の後方に伸び、前側部分を形成する。この前側部分は、特に、ねじれ部に隣接する領域において部分的に長手軸に対してほぼ直角に伸びる。
【００１３】
後方ウェブ端は、好ましくは、くぼみからくぼみの両側の後方に伸び、後側部分を形成する。この後側部分は、特に、ねじれ部に隣接する領域内において、部分的に長手軸に対してほぼ直角に伸びる。
【００１４】
側部分は、前方ウェブ端又は後方ウェブ端の一部である。
【００１５】
前方ウェブ端は、特に好ましくは、突出部から、曲線状接続部分を介して前側部分に移行する。後方ウェブ端についても同様であり、くぼみから、曲線状接続部分を介して後側部分に移行する。
【００１６】
好ましい実施形態において、前方ウェブ端は、一方の細長片から他方の細長片に向かって見た場合、前側部分、曲線状接続部分、突出部、曲線状接続部分、及び他の側部分によって与えられる。これらの部分は、互いに直接連続して隣接している。側部分はそれぞれのねじれ部の中に至る。この好ましい実施形態において、後方ウェブ端は、一方の細長片から他方の細長片に向かってみた場合、後側部分、曲線状接続部分、くぼみ、曲線状接続部分、及び他の側部分によって与えられる。この部分は互いに直接連続して隣接している。側部分はねじれ部の中に至る。
【００１７】
互いに接触する２つの隣接するウェブのウェブ端は、特に好ましくは、一方の細長片の領域と、他方の細長片の領域において、同一の開口内に一緒になって至る。従って、２つの隣接するウェブの前側部分と後側部分は、共通の開口内に一緒になって入り、ウェブ部分は、合流の領域において、好ましくは細長片に対して直角に伸びる。
【００１８】
開口は、好ましくは前方部分と後方部分を有し、前方部分と後方部分は、好ましくは細長片に対して直角に伸び、前方部分と後方部分は、好ましくは細長片に平行に伸びる２つの側部分を介して結合する。従って、開口は、側部分と前方及び後方部分によって区切られる。これらの部分の間にあり、開口を区切る移行領域は、それぞれ、好ましくは曲線状の部分によって形成される。
【００１９】
前方ウェブ端と後方ウェブ端、又はウェブ端の側部分は、それぞれ、特に好ましくは、開口の側部分の領域において開口内に入る。しかしながら、好ましくは曲線状部分の領域内においては開口内に入らない。
【００２０】
細長片に沿って互いに直接続くウェブは、特に好ましくは、材料を除去せずに形成された切れ目によってウェブ端の領域で互いに分離され、未変形状態において互いに接触し、特に、少なくともほとんど接触し、又はほとんど接触し、又は完全に接触する。ここで、「少なくともほとんど」とは、ウェブ端が、単に切れ目によって互いに分離していることを意味すると理解される。
【００２１】
突出部は、好ましくは、２つの細長片間の中央に頂点を有する。ねじれ線は、ねじれ部の中央を通り、長手軸に直角に伸びる。長手軸方向における頂点とねじれ線の間の距離は、好ましくは、長手軸方向におけるねじれ線と後方ウェブ部分の領域の後方ウェブ端との間の距離とほぼ同一である。または、長手軸方向における頂点とねじれ線の間の距離は、長手軸方向におけるねじれ線と後方ウェブ部分の領域の後方ウェブ端との間の距離よりも、１．０から１．３、特に１．１５から１．２５の範囲の倍数で大きい、又は小さい。
【００２２】
ねじれ部は、好ましくは製造中のねじれによって変形する。ウェブそのものは、突出部とくぼみの両側に伸びるウェブ部分以外は、好ましくは２つのねじれ部の間にほぼ均一な平面として形成される。この平面は、細長片に対し角度がつけられている。このねじれ部は、弾性旋回結合と呼ぶこともできる。
【００２３】
突出部及び／又はウェブ部分は、好ましくは、上記平面に対して屈曲により曲がっている。屈曲は、好ましくは、細長片に向けて方向づけられている。ここで、屈曲は効率的な接触部分を提供することができる。
【００２４】
細長片には、特に好ましくは、長手軸の方向又は長手軸に平行に伸びる強化波形が設けられる。強化波形は、好ましくはＵ字断面、及び／又は長方形断面、及び／又は曲線状断面である。
【００２５】
細長片の表面に垂直の方向における強化波形の高さは、特に好ましくは、ウェブの最大のたわみに対応する方向におけるウェブの伸びより小さい。これにより、導電体又は接触部品は、それぞれ、強化波形と接触しない。
【００２６】
接触要素は、特に好ましくは、ベリリウムを含まない合金、特にベリリウムを含まない銅合金であり、又はベリリウムを含まない合金、特にベリリウムを含まない銅合金からなる。この材料選択は、製造中にベリリウムを用いない点で有利である。しかしながら、ベリリウムを省略すると、材料の強度が全体として下がる不都合があり、これにより、ねじれ部における最大の許容応力も下がる。従来よりもウェブを長くする設計の結果、上述したように、同一のたわみ量を有しつつ、ねじれ部の変形を低減することができる。従って、材料選択によって許容最大応力が低くなるという弱点を補うことが可能である。
【００２７】
接触要素は、特に好ましくは一体で成形される。
【００２８】
他の実施形態は従属請求項において特定される。
【図面の簡単な説明】
【００２９】
以下、図面を参照しながら本発明の好ましい実施形態を説明する。図面は単に説明のためであり、本発明を限定するように解釈すべきでない。
【図１ａ】本発明による接触要素の未変形状態の一実施形態を示す平面図である。
【図１ｂ】説明を加えた図１ａによる平面図である。
【図２】図１による接触要素の変形状態を示す斜視図である。
【図３】図２による接触要素を示す平面図である。
【図４】図２による接触要素を示す側面図である。
【図５】図２による接触要素であって、第１の実施形態による強化波形を有する接触要素を示す斜視図である。
【図６】図２による接触要素であって、第２の実施形態による強化波形を有する接触要素を示す斜視図である。
【図７ａ７ｂ】ソケット内に接触薄板を取り付けた好ましい変形を示す図であり、ソケットの４分の１のみが図示される。
【図８ａ８ｂ】プラグ内に接触薄板を取り付けた好ましい変形を示す図であり、プラグの４分の１のみが図示される。
【図９】様々な実施形態による固定部材での取付状態を示す例示的な図である。
【図１０】第１実施形態による固定部材を有する上記図面に示す接触要素の詳細な図である。
【図１１】第２実施形態による固定部材を有する上記図面に示す接触要素の詳細な図である。
【図１２】第３実施形態による固定部材を有する上記図面に示す接触要素の詳細な図である。
【発明を実施するための形態】
【００３０】
図１ａと図１ｂに、２つの導電体の間に電気的接触を構築するための接触要素１を示す。接触要素１は様々な導電体に接続することができる。例示として、プラグとソケットの接続が挙げられる。また、平面の接触体(contact)も当該接触要素に電気的に接続することができる。
【００３１】
図１ａ／１ｂの接触要素は変形していない状態で示される。図２〜図６は変形した状態の接触要素を示す。図７〜図１０は取付状態を例示する。
【００３２】
接触要素１は、長手軸Ｌの方向、又は長手軸Ｌと平行に、互いに平行に伸びる少なくとも２つの細長片２、３を有する。細長片２は、ここでは細長片３から離れて設けられている。２つの細長片２，３は、その表面が平面Ｅに広がり、未変形かつ未取付状態において平面Ｅに横たわる。平面Ｅは、本質的に、いくつかの他の要素を定義するための役割を果たす。取付状態において、接触状況に応じて、細長片２，３は、長手軸の方向又はプラグ又はソケット本体の周囲に沿って伸びる。
【００３３】
細長片２，３はウェブ１４を介して互いに繋がる。ウェブ１４は、２つの細長片２，３の間の隙間の橋渡しをする。ウェブ１４は本質的に第１の細長片２を第２の細長片３に繋げるために用いられ、ウェブ１４は、ねじれ部４，５を介して細長片２、３に繋げられる。ウェブ１４は、２つの導電体間に効率的な電気的接触をもたらす。そのため、接触ウェブ１４と呼ぶこともできる。変形状態において、ウェブ１４は細長片２、３に対して弾性的に動く。
【００３４】
ウェブ１４は、第１のねじれ部４を介して第１の細長片２に弾性的に繋げられ、第２のねじれ部５によって第２の細長片３に弾性的に繋げられる。ねじれ部４，５は弾性的であり、ウェブ１４のためのねじれ接合として用いられる。ウェブ１４のそれぞれには、第１及び第２のねじれ部４，５が割り当てられる。この弾性的な設計は、一方では、導電体間の電気的接触の解消に続いてウェブ１４が元に戻ることを確実にし、他方では、接触状態において導電体の表面に対して力を与えることを確実にする。これにより、ウェブ１４と導電体の間に確実な接触が提供される。
【００３５】
図２から分かるように、変形状態のウェブ１４は、細長片２、３に対して傾斜し、又は角度が付けられている。ウェブ１４の第１の接触部６は細長片２、３の上方に伸び、第２の接触部７は細長片２、３の下方に伸びる。これは、図４において特にはっきりと分かる。接触部６，７は、２つの導電体に接触して電気的に接続させるために用いられる。第１の接触部６は、ここでは１つの接点を有し、第２の接触部７は、ここでは互いに離れて配置される２つの接点を有する。
【００３６】
電気的接触を構築する場合、ウェブ１４はねじれ部４，５に対して旋回する。ここでは、細長片２、３に対するウェブ１４の傾斜角αは小さくなる。従って、第１の接触部６と第２の接触部７は細長片２、３に向かって動く。接触要素１は、接触部６，７を介して、接続対象である導電体の対応する表面に接触する。当該導電体と接触要素１の間の電気的接触は、この接触を介して提供される。ここでは、ウェブ１４が導電体間の電気的接触を構築する。
【００３７】
図１ａを参照して、ウェブの形状をより詳細に説明する。
【００３８】
ウェブ１４のそれぞれは、前方ウェブ端８と後方ウェブ端９を有する。前方ウェブ端は突出部１０を有する。後方ウェブ端はくぼみ１１を有する。ここでは、ウェブ１４のくぼみ１１はすぐ隣のウェブ１４の突出部１０に適合する。隣接する２つのウェブは、図１において１４ａと１４ｂで示される。前方ウェブ１４ａは、そのくぼみ１１を介して、後方ウェブ１４ｂの突出部１０と接触する。突出部１０はくぼみ１１に適合する、又はくぼみ１１と相補的である。言い換えると、突出部１０とくぼみ１１は互いに接触すると言うこともできる。
【００３９】
突出部１０は、上記の第１の接触部６を提供する。
【００４０】
ウェブ１４は、くぼみ１１側に２つの後方ウェブ部分１３を有する。これらの後方ウェブ部分１３は、第２の接触部７を与える。
【００４１】
前方ウェブ端８と後方ウェブ端９は、第１ねじれ部４から第２ねじれ部５まで伸びる。ねじれ部４，５は、図１ａにおいて、ウェブ１４と連結して斜線で示される。隣接する２つのウェブ１４の前方ウェブ端８と後方ウェブ端９は、未変形状態において、それらの全体の長さにわたって互いに接触する。「接触する」は、ウェブ１４が互いに直接接触しているか、又は数百又は数十ミリメートルの範囲内で、互いに極めて短い距離で離れていることを意味すると理解される。隣接する２つのウェブ１４の前方ウェブ端８と後方ウェブ端９は、未変形状態において、互いに少なくともほとんど接触すると言うこともできる。図１において、ウェブ１４ａと１４ｂは隣接する２つのウェブである。従って、ウェブ１４ｂの前方ウェブ端８は、ウェブ１４ａの後方ウェブ端９と接触する。
【００４２】
接触要素１のウェブ１４は、それぞれ互いに同一に形成される。これは、細長片２を細長片３に接続するそれぞれのウェブは、隣接するウェブ１４と同一に形成されることを意味する。これにより、確実な電気接触が得られる。
【００４３】
ウェブ１４の前方ウェブ端８と後方ウェブ端９は、好ましくは互いに平行に形成される。従って、２つのウェブ端８と９は、互いに平行に伸びる。それ故、ウェブ１４はその全体の幅Ｂにわたって、長手軸Ｌ方向において、同一の寸法を有する。この寸法は、図１ｂにおいて符号Ａで表される。ウェブ１４の幅Ｂは、ここでは、ウェブ１４と第１ねじれ部４の間の接続点からウェブ１４と第２ねじれ部５の間の接続点までと定義される。従って、ウェブ１４は第１ねじれ部４から第２ねじれ部５まで伸びる。ここで、「平行」は、２つのウェブ端８，９が互いに平行であることを意味すると理解されるが、必ずしも長手軸Ｌに対して直角に伸びる必要はない。
【００４４】
前方ウェブ端８は、好ましくは後方ウェブ端９と相補的であるか、適合するか、又は補充的である。換言すると、これは、２つのねじれ部４，５の間の前方ウェブ端８と後方ウェブ端９は同一の進路を有し、長手軸Ｌ方向に見た前方ウェブ端８と後方ウェブ端９の間の距離Ａは、第１ねじれ部４から第２ねじれ部５までのウェブ幅Ｂ全体にわたって一定であることを意味する。
【００４５】
ねじれ部４，５は開口１５によって設けられ、開口１５は、互いに一定の間隔で連続して配置される。開口１５は、ウェブ１４と細長片２、３の間に設けられる。ここでは、２つの開口１５の間の残りの部分がねじれ部４，５を与える。従って、ねじれ部４，５は、長手軸方向に互いに直接連続する２つの隣接する開口１５の間の領域によって形成される。例えば、斜線で表されるねじれ部４，５に隣接して設けられる２つの開口１５は、これらねじれ部４，５を形成する。２つの隣り合う開口の間の距離は、ウェブ１４の前方ウェブ端８と後方ウェブ端９の間の距離Ａとほぼ対応する。この距離は符号Ｄで表される。
【００４６】
ねじれ部４についての左側の開口１５は、長手軸Ｌに関して、ねじれ部５についての右側の開口１５と鏡面対称に配置される。
【００４７】
長手軸Ｌに対して直角の横方向Ｑにおいて、ねじれ部４，５はそれぞれ開口１５の最大幅にわたってＱの方向に伸びる。従って、横方向の開口１５の大きさが細長片２、３とウェブ１４の間のねじれ部の長さを決定する。
【００４８】
全ての開口１５は同一の断面を有する。また、長手軸Ｌの方向において開口１５は連続し、整列して配置される。ねじれ部４，５の形状にも影響を与える開口１５の形状について、より詳細に以下に説明する。
【００４９】
前方ウェブ端８は、突出部１０から見た場合、突出部１０の両側の後方に伸びる。これにより、突出部１０からねじれ部４，５それぞれに伸びる部分１２が形成される。この部分１２は、前側部分と呼ぶことができる。この前側部分１２は、長手軸Ｌに対してほぼ直角にねじれ部４，５の領域内に伸び、曲線状結合部分１６を介して突出部１０に移行する。ねじれ部４から見た場合、ウェブ１４は前側部分１２によってねじれ部４に隣接する。曲線状結合部分１６は前側部分１２に隣接し、突出部１０に移行する。突出部１０は、次に、細長片２、３の間の中央軸又は長手軸Ｌと交差し、次に曲線状結合部分１６と前側部分１２に移行し、次にねじれ部５に繋がる。
【００５０】
後方ウェブ端９は、くぼみ１１からくぼみ１１の両側の後方に伸びる。後方ウェブ端９は、前側部分１２とほぼ平行に伸びる後側部分２８を形成する。くぼみ１１の側方に伸びるウェブ１４の領域は、接触部７を与える後方ウェブ部分２８を形成する。後側部分２８は長手軸Ｌに対して部分的に直角に伸び、曲線状結合部分１７を介してくぼみ１１に繋がる。ねじれ部４から見た場合、ウェブ１４は後側部分２８によってねじれ部４に隣接する。曲線状結合部分１７は後側部分２８に隣接し、くぼみ１１に移行する。くぼみ１１は、次に、細長片２、３の間の中央軸と交差し、次に曲線状結合部分１７と後側部分２８に移行し、次にねじれ部５に繋がる。
【００５１】
２つの隣接するウェブ１４の前側部分１２と後側部分２８は、一緒になって共通の開口１５に至る。合流点は符号２９で表される。ウェブ部分１２と２８は、好ましくは、細長片２、３に対して直角に合流点２９の領域内に伸びる。
【００５２】
図１ｂに示すように、開口１５は前方部分１８と後方部分１９を有する。前方部分１８と後方部分１９は、細長片２、３に対して直角である。前方部分１８と後方部分１９は２つの側部分２０，２１を介して繋がる。側部分２０，２１は、好ましくは細長片２、３に平行に伸び、又は曲線状であってもよい。部分１８，１９，２０，２１の間にある移行領域２２は開口１５を区切り、好ましくは曲線状の部分によって形成される。ここで、曲線状の部分は多様に形成することができる。「多様に形成」とは、例えば、多様な曲線状部分に対する多様な曲率の半径を意味するものと理解すべきである。
【００５３】
２つの隣接するウェブ１４の前方ウェブ端８と後方ウェブ端９、又はウェブ端８，９の側部分１２，２８は、側部分２１の領域において、開口１５内に至る。しかしながら、ウェブ端８、９又は側部分１２，２８は、特に好ましくは、曲線状部分２２の領域において当該開口内に至らないことが好ましい。
【００５４】
未変形状態において、図１ａ／１ｂに示すように、細長片２、３に沿って互いに直接連なるウェブ１４は、材料を除去せずに形成された切れ目によって、ウェブ端８，９の領域で互いに分離される。それ故、ウェブ端８と９の間において、接触要素１から材料は除去されない。ウェブ端８、９は、単に対応する切れ目によって設けられる。従って、未変形状態において、ウェブ端８、９は互いに接触し、特に、少なくともほとんど接触している。
【００５５】
くぼみ１０は、細長片２，３の間の中央に頂点２３を有する。ねじれ線２４は、ねじれ部４，５の中央を通り、長手軸Ｌに直角に伸びる。従って、ねじれ線２４は、２つの隣接する開口１５の間の中央に配置される。長手軸方向における頂点２３とねじれ線２４の間の距離Ａ１は、長手軸Ｌの方向におけるねじれ線２４と後方ウェブ部分１３の領域の後方ウェブ端９との間の距離Ａ２とほぼ同一である。従って、距離Ａ２は、長手軸Ｌの方向から見た、ねじれ線２４と後側部分２８の間の距離と定義される。他の実施形態において、距離Ａ１は距離Ａ２よりも、１．０から１．３、特に１．１５から１．２５の範囲の倍数で大きい、又は小さい。
【００５６】
図２に示すように、ねじれ部４，５は製造中に変形し、特にねじれている。このねじれの結果、ねじれ部４，５はばね部分又はばね接合としての役割を果たす。２つのねじれ部４，５の間のウェブ１４は、突出部１０とくぼみ１１の両側に伸びるウェブ部分１３以外は、ほぼ均一な平面である。この平面は、ここでは、細長片２，３又は平面Ｅに対して角度が付けられている。角度は図４において記号αによって特定される。
【００５７】
全ての実施形態による接触要素１は、好ましくは、ベリリウムを含まない合金、特にベリリウムを含まない銅合金であるか、又はベリリウムを含まない合金、特にベリリウムを含まない銅合金からなる。
【００５８】
図５及び６に、本発明による接触要素１の他の２つの実施形態が示される。接触要素そのもの、即ち、細長片２，３、ねじれ部４，５及びウェブ１４は、実質的に上述の特徴を有する。さらに、細長片２，３はそれぞれ、長手軸Ｌに平行に伸びる強化波形２７を有する。この強化波形２７を介することで、一般的に、接触要素に内在する固定力を高めることができる。内在する固定力は、中央軸の周りに伸びる溝の中で接触要素が半径方向にそれ自体を固定する力と同定することができる。内在する固定力が増加すると、特にソケット本体又はプラグ本体の中に接触要素が円形状に巻かれて取り付けられている場合に有利である。なぜならば、長方形断面を有する溝又は凹部内への取り付けが可能となるからである。内在する固定力によって、接触要素１は溝又は凹部に押し付けられ、又は溝又は凹部から脱落することが防止できる。これは、特に大きな寸法の場合に有利である。
【００５９】
しかしながら、強化波形２７は、平面状の取付の場合においても有利である。この種の平面状の取付の構成は、図９〜１２を参照して示される。
【００６０】
強化波形２７は、多様に方向付けされていてもよい。図５において、強化波形２７は、接触部６に対して下方に、細長片２，３から接触部７に向かって伸びている。図６における配置は全く逆である。強化波形２７は、第１の接触部６の方向及び／又は第２の接触部７の方向に伸びていてもよい。また、複数の強化波形２７を隣接して設けることも考えられ、強化波形は同一及び／又は異なる方向に伸びる。
【００６１】
図５，６において、強化波形は、それぞれＵ字形の断面を有する。他の実施形態において、この断面は多様に形成してもよく、例えば、長方形断面及び／又は曲線状断面である。
【００６２】
強化波形２７を有する接触要素１がソケット３２内の凹部２６に取り付けられた２つの状態を、図７ａと７ｂに示す。ここでは、ソケット３２は一部のみが示される。接触要素１は、長方形断面を有する凹部２６内に位置している。図７ａにおいて、強化波形２７は凹部２６の底面に向かって伸びている。従って、強化波形２７は、凹部２６の底面と接触する第２の接触部７の方向に伸びている。図７ｂにおいて、強化波形２７は凹部２６の底面から離れるように伸びている。従って、強化波形２７は第１の接触部６の方向に伸びている。上述したように、その４分の１のみが示されるソケット３２は、中央軸Ｍの周りを完全に巡って設けられている。
【００６３】
強化波形２７を有する接触要素１がプラグ３４の凹部２６に取り付けられた２つの状態を、図８ａと８ｂに示す。プラグ３４は、ここでは一部のみが示される。接触要素１は、長方形断面を有する凹部２６内に位置している。図８ａにおいて、強化波形２７は凹部２６の底面に向かって伸びている。従って、強化波形２７は、凹部２６の底面と接触する第２の接触部７の方向に伸びている。図８ｂにおいて、強化波形２７は凹部２６の底面から離れるように伸びている。従って、強化波形２７は第１の接触部６の方向に伸びている。上述したように、その４分の１のみが示されるプラグ３４は、中央軸Ｍの周囲を完全に巡って形成されている。
【００６４】
もちろん、強化波形１を有さない接触要素１も、上述のソケット又はプラグ内の凹部２６内に挿入することができる。
【００６５】
上述した接触要素１を、接触部分又は導電体２５内に取り付けた例示的な状態を図９に示す。接触部分又は導体２５は、ここでは長方形断面を有する凹部２６を有し、この中に接触要素１が取り付けられる。接触要素１は、接触部分２５に対して追加的に固定部材３０によって固定される。考えられる複数の固定部材３０が図７に示され、これらは単独で、又は互いに組み合わせて用いることができる。
【００６６】
固定部材３０は、例えば、ねじ又は鋲であってもよく、細長片に設けられた開口３１を通して誘導される。開口は、例えば強化波形２７内に、又は細長片２，３上に直接設けることができる。開口は、好ましくは長手軸Ｌ方向に伸びる細長い穴の形状を有する。このような穴３１が図８に示される。
【００６７】
しかしながら、固定部材は固定クリップ３０の形状を有していてもよく、図１１及び１２に示すように、細長片２，３又は強化波形２７に対して作用する。
【符号の説明】
【００６８】
１  接触要素
２，３  細長片
４，５  ねじれ部
６  第１の接触部
７  第２の接触部
８  前方ウェブ端
９  後方ウェブ端
１０  突出部
１１  くぼみ
１２  前側部分
１３  後側部分
１４  ウェブ
１５  開口
１６、１７  曲線状接続部分
１８  前方部分
１９  後方部分
２０、２１  側部分
２２  移行領域
２３  頂点
２４  ねじれ線
２５  接触部分
２６  凹部
２７  強化波形
２８  後側部分
２９  合流点
３０  固定部材
３１  開口
３２  ソケット
３４  プラグ
【図１ａ】
2016512918.tif 000003
【図１ｂ】
2016512918.tif 000004
【図２】
2016512918.tif 000005
【図３】
2016512918.tif 000006
【図４】
2016512918.tif 000007
【図５】
2016512918.tif 000008
【図６】
2016512918.tif 000009
【図７ａ】
2016512918.tif 000010
【図７ｂ】
2016512918.tif 000011
【図８ａ】
2016512918.tif 000012
【図８ｂ】
2016512918.tif 000013
【図９】
2016512918.tif 000014
【図１０】
2016512918.tif 000015
【図１１】
2016512918.tif 000016
【図１２】
2016512918.tif 000017
【国際調査報告】
2016512918.tif 000018
2016512918.tif 000019
2016512918.tif 000020
2016512918.tif 000021